【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
アンテナシステムを構成する方法であって、
ＷＴＲＵによって、所与の擬似コロケーション（ＱＣＬ）タイプに従って、それぞれの受信リソースに対応する複数のＣＳＩ−ＲＳ構成を一緒にグループ化するＱＣＬタイプメッセージを含む無線リソース制御（ＲＲＣ）メッセージを受信することであって、前記所与のＱＣＬタイプは、ＱＣＬパラメータの異なるセットをそれぞれが含む複数のＱＣＬタイプの中の１つのＱＣＬタイプであり、前記複数のＱＣＬタイプのそれぞれは、それぞれの識別子を有しており、前記ＱＣＬタイプメッセージは、第１の受信リソースに対応する第１のＣＳＩ−ＲＳ構成および前記第１の受信リソース以外の第２の受信リソースに対応する少なくとも１つの第２のＣＳＩ−ＲＳ構成のための前記所与のＱＣＬタイプを識別する識別子情報を含み、前記第１のＣＳＩ−ＲＳ構成は、第１のＣＳＩ−ＲＳに対応し、前記第２のＣＳＩ−ＲＳ構成は、第２のＣＳＩ−ＲＳに対応する、ことと、
前記ＷＴＲＵによって、ダウンリンク（ＤＬ）データ送信の復調のために前記第１のＣＳＩ−ＲＳ構成に対応する前記第１の受信リソースのアロケーションを受信することと、
前記ＷＴＲＵによって、前記ＱＣＬタイプメッセージから、前記第１のＣＳＩ−ＲＳ構成と一緒にグループ化された前記第２のＣＳＩ−ＲＳ構成を判定し、およびそれに応じて、前記ＷＴＲＵによって、前記ＱＣＬタイプメッセージにおいて識別された前記所与のＱＣＬタイプに従って、１つまたは複数のＱＣＬパラメータのどれを、前記ＷＴＲＵに割り当てられた前記第１の受信リソース以外の前記第２の受信リソースに対応する前記第２のＣＳＩ−ＲＳ構成から測定すべきなのかを判定することと、
前記ＷＴＲＵにて、少なくとも前記第１のＣＳＩ−ＲＳおよび前記第２のＣＳＩ−ＲＳを測定することによって、前記識別された所与のＱＣＬタイプに関連付けられたＱＣＬパラメータの第１のセットを測定することと、
前記ＷＴＲＵにて、前記第１のＣＳＩ−ＲＳを測定することによって、ＱＣＬパラメータの前記第１のセット中にないＱＣＬパラメータの第２のセットを測定することと、
前記ＷＴＲＵにて、ＱＣＬパラメータの前記第１のセットとＱＣＬパラメータの前記第２のセットとを使用して前記ＤＬデータを復調することと
を含む方法。
【請求項２】
前記複数のＱＣＬタイプの中の少なくとも１つのＱＣＬタイプは、ＣＳＩ−ＲＳ構成の完全ＱＣＬを示し、
前記識別された所与のＱＣＬタイプは、ＣＳＩ−ＲＳ構成の部分ＱＣＬを示し、
ＣＳＩ−ＲＳ構成の前記部分ＱＣＬに対応する１つまたは複数のＱＣＬパラメータは、ＣＳＩ−ＲＳ構成の前記完全ＱＣＬに対応する複数のＱＣＬパラメータのサブセットである
請求項１に記載の方法。
【請求項３】
ＣＳＩ−ＲＳ構成の前記完全ＱＣＬに対応する前記複数のＱＣＬパラメータは、遅延拡散、ドップラー拡散、周波数シフト、平均受信電力、受信タイミング、およびビームインデックスのうちの２つ以上を含む、請求項２に記載の方法。
【請求項４】
ＱＣＬパラメータの前記第１のセットまたは前記第２のセットは、ＣＳＩ−ＲＳ構成の前記完全ＱＣＬのための前記複数のＱＣＬパラメータのサブセットである、請求項２乃至３のいずれか一項に記載の方法。
【請求項５】
前記第１のおよび第２のＣＳＩ−ＲＳ構成は、マルチレイヤ送信のための複数のレイヤのうちの所与のレイヤに関連付けられる、請求項１に記載の方法。
【請求項６】
前記所与のレイヤのための前記関連付けられたＣＳＩ−ＲＳ構成は、ダウンリンク制御情報（ＤＣＩ）中で示される、請求項５に記載の方法。
【請求項７】
コンピューティングデバイスで実行されるとき、前記コンピューティングデバイスに、請求項１乃至３および請求項５乃至６のいずれか一項に記載の方法を実行させる複数の命令を備える少なくとも１つの機械可読媒体。
【請求項８】
プロセッサと、
複数の命令を格納するメモリと
を備える装置であって、前記複数の命令は、前記プロセッサによって実行されると、前記プロセッサに、
ＷＴＲＵによって、所与の擬似コロケーション（ＱＣＬ）タイプに従って、それぞれの受信リソースに対応する複数のＣＳＩ−ＲＳ構成を一緒にグループ化するＱＣＬタイプメッセージを含む無線リソース制御（ＲＲＣ）メッセージを受信することであって、前記所与のＱＣＬタイプは、ＱＣＬパラメータの異なるセットをそれぞれが含む複数のＱＣＬタイプの中の１つのＱＣＬタイプであり、前記複数のＱＣＬタイプのそれぞれは、それぞれの識別子を有しており、前記ＱＣＬタイプメッセージは、第１の受信リソースに対応する第１のＣＳＩ−ＲＳ構成および前記第１の受信リソース以外の第２の受信リソースに対応する少なくとも１つの第２のＣＳＩ−ＲＳ構成のための前記所与のＱＣＬタイプを識別する識別子情報を含み、前記第１のＣＳＩ−ＲＳ構成は、第１のＣＳＩ−ＲＳに対応し、前記第２のＣＳＩ−ＲＳ構成は、第２のＣＳＩ−ＲＳに対応する、ことと、
前記ＷＴＲＵによって、ダウンリンク（ＤＬ）データ送信の復調のために前記第１のＣＳＩ−ＲＳ構成に対応する前記第１の受信リソースのアロケーションを受信することと、
前記ＷＴＲＵによって、前記ＱＣＬタイプメッセージから、前記第１のＣＳＩ−ＲＳ構成と一緒にグループ化された前記第２のＣＳＩ−ＲＳ構成を判定し、およびそれに応じて、前記ＷＴＲＵによって、前記ＱＣＬタイプメッセージにおいて識別された前記所与のＱＣＬタイプに従って、１つまたは複数のＱＣＬパラメータのどれを、前記ＷＴＲＵに割り当てられた前記第１の受信リソース以外の前記第２の受信リソースに対応する前記第２のＣＳＩ−ＲＳ構成から測定すべきなのかを判定することと、
前記ＷＴＲＵにて、少なくとも前記第１のＣＳＩ−ＲＳおよび前記第２のＣＳＩ−ＲＳを測定することによって、前記識別された所与のＱＣＬタイプに関連付けられたＱＣＬパラメータの第１のセットを測定することと、
前記ＷＴＲＵにて、前記第１のＣＳＩ−ＲＳを測定することによって、ＱＣＬパラメータの前記第１のセット中にないＱＣＬパラメータの第２のセットを測定することと、
前記ＷＴＲＵにて、ＱＣＬパラメータの前記第１のセットとＱＣＬパラメータの前記第２のセットとを使用して前記ＤＬデータを復調することと
を行うように構成された装置。
【請求項９】
前記複数のＱＣＬタイプの中の少なくとも１つのＱＣＬタイプは、ＣＳＩ−ＲＳ構成の完全ＱＣＬを示し、
前記識別された所与のＱＣＬタイプは、ＣＳＩ−ＲＳ構成の部分ＱＣＬを示し、
ＣＳＩ−ＲＳ構成の前記部分ＱＣＬに対応する１つまたは複数のＱＣＬパラメータは、ＣＳＩ−ＲＳ構成の前記完全ＱＣＬに対応する複数のＱＣＬパラメータのサブセットである、
請求項８に記載の装置。
【請求項１０】
ＣＳＩ−ＲＳ構成の前記完全ＱＣＬに対応する前記複数のＱＣＬパラメータは、遅延拡散、ドップラー拡散、周波数シフト、平均受信電力、受信タイミング、およびビームインデックスのうちの２つ以上を含む、請求項９に記載の装置。
【請求項１１】
ＱＣＬパラメータの前記第１のセットまたは前記第２のセットは、ＣＳＩ−ＲＳ構成の前記完全ＱＣＬのための前記複数のＱＣＬパラメータのサブセットである、請求項９乃至１０のいずれか一項に記載の装置。
【請求項１２】
前記第１のおよび第２のＣＳＩ−ＲＳ構成は、マルチレイヤ送信のための複数のレイヤのうちの所与のレイヤに関連付けられる、請求項８に記載の装置。
【請求項１３】
前記所与のレイヤのための前記関連付けられたＣＳＩ−ＲＳ構成は、ダウンリンク制御情報（ＤＣＩ）中で示される、請求項１２に記載の装置。